(57)【要約】【課題】パンフレット類を収納したうえで、収納スタンドの収納部に入れてパンフレット類が濡れるのを防ぐパンフレット類収納ケースにおいて、パンフレット類を取り出しやすくし、また、取り出す際にがたついたり、収納部から抜け出るのを防止することにある。【解決手段】方形の底壁１１ａとその周縁から立ち上がる周壁１１ｂ、１１ｃ、１１ｄとからなり、開口した上端からパンフレット類を収納する、収納スタンドの収納部に収納しうる寸法の箱体１１と、箱体１１の開口を閉塞する蓋体１２と、箱体の後周壁に取り付けられ、箱体を収納スタンドの収納部内において前方へ付勢する弾性部材とからパンフレット類収納ケースを形成したのである。【選択図】図１（ｂ）
0003113505.tif 000002
【実用新案登録請求の範囲】
【請求項１】
方形の底壁とその周縁から立ち上がる周壁とからなり、開口した上端からパンフレット類を収納する、収納スタンドの収納部に収納しうる寸法の箱体と、前記箱体の開口を閉塞する蓋体と、箱体の後周壁に取り付けられ、箱体を収納スタンドの収納部内において前方へ付勢する弾性部材とからなるパンフレット類収納ケース。
【請求項２】
前記蓋体は、上板と上板の両端から延び箱体の側周壁外面に当接する側板とからなり、蓋体の前端を箱体の前周壁よりも前方に突き出させた請求項１に記載のパンフレット類収納ケース。
【請求項３】
箱体の前周壁と側周壁の連結部分において、前周壁のほうが側周壁より低く、開口上端が段差を形成し、蓋体で箱体開口を閉じた際に蓋体と箱体前周壁の間に間隙を形成した請求項1又は２に記載のパンフレット類収納ケース。
【請求項４】
蓋体を箱体の後周壁上端に回動可能に連結した請求項１から３のいずれかに記載のパンフレット類収納ケース。
【請求項５】
蓋体後端を箱体の後周壁上端より後方に位置させ、蓋体後端から下方に屈曲して延びる止片を設け、前記止片を、蓋体を回動させた際に、蓋体が真上を向く前に箱体後周壁に当接するように形成した請求項４に記載のパンフレット類収納ケース。
【請求項６】
箱体の底壁裏面に、箱体が収納スタンドから抜け出すのを防ぐ固定材を取り付けるための、折りたたみ可能な取り付け片を設けた請求項１から５のいずれかに記載のパンフレット類収納ケース。
【請求項７】
箱体および蓋体をほぼ透明の合成樹脂により形成した請求項１から６のいずれかに記載のパンフレット類収納ケース。
【考案の詳細な説明】
【技術分野】
【０００１】
この考案はパンフレット類を収納するケースに関し、より詳しくはパンフレットスタンド等の収納スタンドの収納部に収納するケースに関する。
【背景技術】
【０００２】
図６のように、パンフレット３０やチラシなど広告宣伝のために配布される冊子は、いわゆるパンフレットスタンド等の収納スタンド２０の収納部２１に入れられ、店先の路上などに設置し、通行人が自由に持ち帰ることができるようになっている。  
【０００３】
しかし、従来の場合、パンフレット３０等は、収納スタンド２０の収納部２１にじかに入れられていることが多かった。このようなむき出しの状態では、にわか雨が降った場合などには濡れないように、急いで収納スタンド２０を店内に収容したり、ビニールシートを被せたりせねばならず煩雑であり、もし収容し忘れたり、被せ忘れたり、収容が遅れたり、被せるのが遅れれば、パンフレット３０等は濡れてしまい使い物にならず、廃棄処分していたため無駄が多かった。
【０００４】
また、湿気が多い季節には、パンフレット３０等が湿気を吸って膨張し、波打ったような外観となり体裁が悪かった。上記した不都合を解消すべく、パンフレット３０等をビニールで被覆したものも見受けられるが、雨や湿気を完全に遮断するには至らなかった。
【０００５】
そこで、特許文献１に記載されているように、方形の底壁とその周縁から立ち上がる周壁とからなり、開口した上端からパンフレット類を収納する、収納スタンドの収納部に収納しうる寸法の箱体と、前記箱体の開口を閉塞する蓋体とからなるパンフレット類収納ケースが提案されている。
【特許文献１】登録実用新案第３０３２４８３号公報
【０００６】
このようなパンフレット類収納ケースにパンフレット類を収納した上で、収納スタンド２０の収納部２１に入れれば、収納ケースが雨水等を遮るため、パンフレット３０類が濡れる心配はなくなる。
【０００７】
しかし、このようなパンフレット類収納ケースの寸法を、あらゆる収納スタンド２０の収納部２１の寸法と合致させるわけには行かないので、どうしても収納ケースと収納部２１に隙間ができてしまい、パンフレット３０類を取り出す際に収納部２１内でがたつき、場合によっては収納部２１から収納ケースごと抜け出してしまう恐れもあり不便であった。また、収納スタンドの収納部２１は後方に向けてやや傾斜していることが多いため、収納ケースが収納部２１後壁面にまでずり下がることが多く、パンフレット類を取り出しにくかった。
【考案の開示】
【考案が解決しようとする課題】
【０００８】
そこでこの考案の解決すべき課題は、パンフレット類を収納したうえで、収納スタンドの収納部に入れてパンフレット類が濡れるのを防ぐパンフレット類収納ケースにおいて、パンフレット類を取り出しやすくし、また、取り出す際にがたついたり、収納部から抜け出るのを防止することにある。
【課題を解決するための手段】
【０００９】
上記した課題を解決するため、方形の底壁とその周縁から立ち上がる周壁とからなり、開口した上端からパンフレット類を収納する、収納スタンドの収納部に収納しうる寸法の箱体と、前記箱体の開口を閉塞する蓋体と、箱体の後周壁に取り付けられ、箱体を収納スタンドの収納部内において前方へ付勢する弾性部材とによって、パンフレット類収納ケースを形成したのである。
【００１０】
ここでパンフレット類とは、パンフレット、チラシなど広告宣伝の目的を持って配布される冊子全般を指す。
【００１１】
蓋体は、上板と上板の両端から延び箱体の側周壁外面に当接する側板とからなり、蓋体の前端を箱体の前周壁よりも前方に突き出させるとよい。
【００１２】
箱体の前周壁と側周壁の連結部分において、前周壁のほうが側周壁より低く、開口上端が段差を形成し、蓋体で箱体開口を閉じた際に蓋体と箱体前周壁の間に間隙を形成するのが好ましい。
【００１３】
さらに、蓋体を箱体の後周壁上端に回動可能に連結し、このように回動可能に連結する場合において、蓋体後端を箱体の後周壁上端より後方に位置させ、蓋体後端から下方に屈曲して延びる止片を設け、前記止片を、蓋体を回動させた際に、蓋体が真上を向く前に箱体後周壁に当接するように形成するのがなお好ましい。
【００１４】
箱体の底壁裏面に、箱体が収納スタンドから抜け出すのを防ぐ固定材を取り付けるための、折りたたみ可能な取り付け片を設けるのが好ましい。
【００１５】
箱体および蓋体はほぼ透明の合成樹脂製とするのがよい。ここでほぼ透明とは、半透明も含み、着色されている場合も含む概念である。
【考案の効果】
【００１６】
パンフレット類収納ケースの、箱体の開口した上端からパンフレット類を中にいれ、箱体の開口を蓋体で閉塞し、このパンフレット類収納ケースを収納部に収納した収納スタンドを路上に置いた場合には、にわか雨が降ったり、湿気が多い時にも、収納ケースが水気を遮断するため、パンフレット類が濡れるのを防止することができる。また、箱体が平面視方形であるためパンフレット類を曲げたりせずに収納しやすい。そのうえ、箱体の後周壁に、箱体を収納スタンドの収納部内において前方へ付勢する弾性部材を取り付けているため、パンフレット類収納ケースが収納スタンドの前方に押し出され、パンフレット類を取り出しやすくなるとともに、収納ケースのがたつき、抜け落ちを防止することができる。
【００１７】
蓋体を、上板と上板の両端から延び箱体の側周壁外面に当接する側板とから形成し、蓋体の前端を箱体の前周壁よりも前方に突き出させることにより、側板により横方向からの水の侵入が阻止され、上板が前方に突出していることにより、庇状になり、前方から雨水が浸入するのを防止する。
【００１８】
箱体の前周壁と側周壁の連結部分において、前周壁のほうが側周壁より低く、開口上端が段差を形成し、蓋体で箱体開口を閉じた際に、蓋体と前周壁の間に間隙を形成すると、その間隙に指を入れ、蓋体を押し上げることで蓋体を開けやすくなるとともに、パンフレット類の一部が外部にむき出しになっているため、パンフレット類を取り出す際の心理的負担を軽減する。
【００１９】
蓋体を箱体の後周壁上端に回動可能に連結すると、前方から手で蓋体を押し上げることで蓋体が上方へ向けて回動するため開けやすくなる。さらに、蓋体後端を箱体の後周壁上端より後方に位置させ、蓋体後端から下方に屈曲して延びる止片を設けると、蓋体を一定程度押し上げると止片が箱体の後周壁に当接してそれ以上後方への蓋体の回動が規制され、この止片を、蓋体を回動させた際に、蓋体が真上を向く前に箱体後周壁に当接するように形成ると、手を離すと蓋体が自動的に閉じるようになるため便利である。
【００２０】
箱体の底壁裏面に、箱体が収納スタンドから抜け出すのを防ぐ固定材を取り付けるための、折りたたみ可能な取り付け片を設けることにより、取り付け片に棒状部材を取り付けるなどして抜け止めとすることができるとともに、収納スタンドの収納部の底面が平板状である場合など、取り付け片を用いることができない場合には、折りたたんで邪魔にならず便利である。
【００２１】
箱体および蓋体をほぼ透明の合成樹脂製とすることで、収納ケース内のパンフレットが外部から見分けられるため便利であるとともに、安価であり、軽量であり、収納ケースに十分な強度を持たせることができる。
【考案を実施するための最良の形態】
【００２２】
以下、図面を参照しつつこの考案の実施形態について説明する。図１（ａ）、（ｂ）のように、この考案にかかるパンフレット類収納ケース１０は、箱体１１と、蓋体１２と、２つの弾性部材１３と、取り付け片１４とからなる。
【００２３】
さらに詳細に見れば図示のように、箱体１１は、方形の底壁１１ａと、その周縁から真上に向かい立ち上がる前周壁１１ｂ、２つの側周壁１１ｃ、後周壁１１ｄから水密に形成され、これら周壁１１ｂ、１１ｃ、１１ｄの上端が開口を形成する。側周壁１１ｃ上端は前方に向けて斜め下方に傾斜し、前周壁１１ｂは、側周壁１１ｃの前方端部の一番高さが低い部分よりさらに低く形成されているため、前周壁１１ｂと側周壁１１ｃの連結部分上端は段差となっている。
【００２４】
また、蓋体１２は、上板１２ａと、上板１２ａ両側端から真下に延びる側板１２ｂと、上板１２ａ後端から下方に屈曲して延びる止片１２ｃとからなり、上板１２ａは後方をやや余らせた状態で、箱体１１の後周壁１１ｄにヒンジ１２ｄで連結されている。図示のように、蓋体１２をヒンジ１２ｄで箱体１１に連結した場合に、蓋体１２の前端は、箱体１１の前周壁１１ｂよりも前方に突き出て庇状になっている。このような構造から、上板１２ａは箱体１１の傾斜する側周壁１１ｃ上端に沿って、斜めに傾斜した状態で箱体１１の開口を塞ぐ。このため、上板に振り注いだ雨水等は、前方に向かい速やかに排出される。また、側板１２ｂは箱体１１の側周壁１１ｃ上部外面に当接し、横方向から雨水等が内部に侵入するのを防止する。
【００２５】
また、弾性部材１３は板ばね状の板状体であり、箱体１１の後周壁１１ｄ壁面に接着剤で固定された基部１３ａと、基部１３ａから上斜め後方に屈曲して延びる弾性部１３ｂとからなる。さらに、箱体１１の底壁裏面両側には、ねじ孔１４ａの設けられた取り付け片１４が設けられている。
【００２６】
なお、箱体１１と蓋体１２の連結はヒンジ１２ｄに替えて粘着テープ等により行ってもよく、箱体１１と弾性部材１３の固定は接着剤に替えてボルト等により行ってもよい。弾性部材１３の数は勿論２つに限られず、上記した板ばね状の弾性部材１３に替えてスプリング等を用いてもよい。
【００２７】
このようなパンフレット類収納ケース１０を用いるには、図２のように、パンフレット類収納ケース１０にパンフレット３０、チラシなどを入れ、収納スタンド２０の収納部２１に上部からスライドさせるようにして押し込む。このようにすれば雨が降ってもパンフレット３０、チラシなどは収納ケース１０に収納され雨水が遮断されるため濡れる心配はない。なおこの場合収納ケース１０の寸法を、パンフレット３０等を折り曲げずに収納できる大きさとしておくとよい。
【００２８】
なおこの場合に、パンフレット３０等が外からよく見えるように、収納ケース１０の箱体１１と蓋体１２はいずれも透明性のある合成樹脂、たとえばアクリル製であるのが好ましい。合成樹脂製とすれば安価であるし、軽量であるし、強度も十分である。弾性部材１３も同様に適度な弾性を有するものとして合成樹脂製であるのが好ましい。  
【００２９】
図３(ａ)のように、収納スタンド２０の収納部２１に収納ケース１０を押し込むと、弾性部材１３の歪められた弾性部１３ｂの復元弾性により、収納ケース１０は収納部２１の前壁面２１ａ側に押し出される。そのため、収納されたパンフレット類を取り出しやすくなる。また、収納部２１内における収納ケース１０のぐらつきや、パンフレット３０等を抜き取る際に収納ケース１０までもが押し上げられ、収納部２１から脱落するのを防止することもできる。また図３(ｂ)のように収納スタンド２０の収納部２１が浅い場合には、２つの弾性部１３ｂの外端同士を補助板１３ｃで連結しておくと補助板１３ｃの下部が収納部２１の後壁面２１ｂに当接するため同様の効果を得ることができる。  
【００３０】
上記したように箱体１１の前周壁１１ｂと側周壁１１ｃの連結部分は段差を形成し、前周壁１１ｂは側周壁１１ｃより低くなっている。そのため、図１（ａ）、図４のように箱体１１の開口を蓋体１２で閉じた場合には、蓋体１２と前周壁１１ｂの間に間隙１１ｅが形成される。この間隙１１ｅに指を入れ蓋体１２を押し上げると、上方に回動するため蓋体１２を開けやすい。また、パンフレット３０等の一部が外部にむき出しになっているため、収納ケース１０からパンフレット３０等を抜き取る際の心理的な負担を軽減することにもつながる。なお、この場合に、上記したように、蓋体１２は箱体１１前方に庇状に突き出ているため、間隙１１ｅから内部に雨水が侵入するのを防止することができる。
【００３１】
また蓋体１２を押し上げた際に収納ケース１０全体が押し上げられ、収納部２１から抜け落ちてしまわないように、取り付け片１４のねじ孔１４ａに外周面に雄ねじが設けられ、長さが収納部の横幅寸法よりも長いねじ棒４０をねじ合わせ固定しておけば、収納ケース１０が押し上げられそうになっても、ねじ棒４０が収納部２１底面にぶつかるため、抜け落ちが防止される。
【００３２】
なお、収納部２１底面が、この実施形態のような線材を折り曲げてなるものではなく、板状体からなる場合には、取り付け片１４は用いることができないが、折り曲げておけば邪魔にはならない。また、この実施形態ではねじ孔１４ａにねじ棒４０をねじ合わせることで固定していたがこれに限られず、取り付け片１４に通常の円孔や方孔をもうけ、これに両端の屈曲した棒を差し込んでも構わない。
【００３３】
蓋体１２の上板１２ａは、箱体１１の後周壁１１ｄ上端にヒンジ１２ｄで連結されている。そのため、上記した間隙１１ｅに指を入れ前方から蓋体１２を押し上げると蓋体１２はヒンジ１２ｄを中心とした回転動作を行う。この際に、上記したように、蓋板１２後端から下方に屈曲する止片１２ｃが延びているため、図５のように、一定以上蓋体１２を回動させると止片１２ｃが箱体１１の後周壁１１ｄ外面に当接することにより、蓋体１２のそれ以上後方への回動が規制される。そのため、図示のように真上を向く前に止片１２ｃが後周壁１１ｄに当接するように形成しておくと、手を離すと蓋体１２が自動的に閉じて便利である。
【図面の簡単な説明】
【００３４】
【図１（ａ）】収納ケースを前方より見た場合の斜視図
【図１（ｂ）】収納ケースを後方より見た場合の斜視図
【図２】収納ケースの使用状態図
【図３】弾性部材が収納ケースを前方に押し出す模式図
【図４】収納ケースの間隙に指を入れた図
【図５】蓋体の動作図
【図６】収納スタンドの全体図
【符号の説明】
【００３５】
１０  パンフレット類収納ケース
１１  箱体
１１ａ  底壁
１１ｂ  前周壁
１１ｃ  側周壁
１１ｄ  後周壁
１１ｅ  間隙
１２  蓋体
１２ａ  上板
１２ｂ  側板
１２ｃ  止片
１２ｄ  ヒンジ
１３  弾性部材
１３ａ  基部
１３ｂ  弾性部
１３ｃ  補助板
１４  取り付け片
１４ａ  ねじ孔
２０  収納スタンド
２１  収納部
２１ａ  前壁面
２１ｂ  後壁面
３０  パンフレット
４０  ねじ棒
【図１（ａ）】
0003113505.tif 000003
【図１（ｂ）】
0003113505.tif 000004
【図２】
0003113505.tif 000005
【図３】
0003113505.tif 000006
【図４】
0003113505.tif 000007
【図５】
0003113505.tif 000008
【図６】
0003113505.tif 000009